(57)【特許請求の範囲】
【請求項１】
家具(100)に固定できる少なくとも１つの保持部(10)と、保持部(10)に固定できる籠(20)とを備え、
少なくとも１つの保持部(10)は、第１の保持部(11)と第２の保持部(12)とを有し、
籠(20)は、第１の固定部(21)と第２の固定部(22)とを有し、
第１の保持部(11)に第１の固定部(21)を保持しかつ／又は第２の保持部(12)に第２の固定部(22)を保持して、保持部(10)に籠(20)を固定でき、
第１の保持部(11)が形成する第１の回転軸を中心にかつ第２の保持部(12)が形成する第２の回転軸を中心に保持部(10)に対して籠(20)を回転できる家具装備品(1)において、
家具装備品(1)は、保持部(10)内に移動可能に支持される摺動体(30)を有し、
摺動体(30)は、第１の保持部(11)に又はその中に第１の固定部(21)を係止しかつ第２の保持部(12)に又はその中に第２の固定部(22)を係止し、
係止状態では、摺動体(30)は、第１の固定部(21)を第１の保持部(11)に又はその中に係止し、かつ第２の固定部(22)を第２の保持部(12)に又はその中に係止し、
第１の解放位置では、摺動体(30)は、第２の固定部(22)を第２の保持部(12)に又はその中に係止しつつ第１の保持部(11)を開放して、第１の固定部(21)を第１の保持部(11)から取り外して第２の回転軸を中心に籠(20)を回転でき、
第２の解放位置では、摺動体(30)は、第１の固定部(21)を第１の保持部(11)に又はその中に係止しつつ第２の保持部(12)を開放して、第２の固定部(22)を第２の保持部(12)から取り外して籠(20)を第１の回転軸を中心に回転でき、
係止位置から第１の方向(R1)の第１の解放位置に向かって摺動体(30)を摺動でき、
第１の方向(R1)とは逆の第２の方向(R2)の第２の解放位置に係止位置から摺動体(30)を移動できることを特徴とする家具装備品(1)。
【請求項２】
家具装備品(1)は、各摺動体(30)と各保持部(10)との間に配置される2つの蓄勢装置(37,38)を有し、
第１の蓄勢装置(37)は、第２の方向(R1)の弾性力を摺動体(30)に付与し、
第２の蓄勢装置(38)は、第１の方向(R2)の弾性力を摺動体(30)に付与し、
係止位置では、第１の蓄勢装置(37)が摺動体(30)に加える弾性力と、第２の蓄勢装置(38)が摺動体(30)に加える弾性力とが均衡して、外力が加えられない限り、摺動体(30)は、係止位置に保持され、
第１の解放位置では、第１の蓄勢装置(37)は、第２の蓄勢装置(38)よりも大きい弾性力を摺動体(30)に加えるため、外力を加えずに、摺動体(30)は、係止位置に移動され、かつ
第２の解放位置では、第２の蓄勢装置(38)は、第１の蓄勢装置(37)よりも大きい力を摺動体(30)に加えるため、外力を加えずに、摺動体(30)は、係止位置に移動される請求項１に記載の家具装備品。
【請求項３】
保持部(10)は、第１の支持壁(13)と第２の支持壁(14)を有し、
摺動体(30)は、第１の支持腕(31)と第２の支持腕(32)を有し、
第１の蓄勢装置(37)は、第１の支持壁(13)と第１の支持腕(31)との間に配置されて、第１の支持壁(13)及び第１の支持腕(31)に支持されかつ／又はそれらに当接し、
第２の蓄勢装置(38)は、第２の支持壁(14)と第２の支持腕(32)との間に配置されて、第２の支持壁(14)及び第２の支持腕(32)に支持されかつ／又はそれらに当接する請求項２に記載の家具装備品。
【請求項４】
摺動体(30)は、第１の支持腕(31)を第２の支持腕(32)に連結する連結腕(33)と、連結腕(33)に接続される操作部材(36)とを有し、操作部材(36)は、第１の支持腕(31)と第２の支持腕(32)との間かつ第１の支持壁(13)と第２の支持壁(14)との間に配置され、
操作部材(36)により摺動体(30)を第１の方向(R1)及び第２の方向(R2)に摺動できる請求項３に記載の家具装備品。
【請求項５】
第１の保持部(11)と第２の保持部(12)は、保持部(10)内の保持溝(11,12)として形成され、
第１の固定部(21)と第２の固定部(22)は、フック(21,22)として形成され、
第１の保持溝(11)内に第１のフック(21)を収容でき、第２の保持溝(12)内に第２のフック(22)を収容でき、
摺動体(30)は、第１の係止突起(34)と第２の係止突起(35)とを有し、
係止位置では、第１の係止突起(34)は、第１のフック(21)を第１の保持溝(11)内に固定し、第２の係止突起(35)は、第２のフック(22)を第２の保持溝(12)内に固定し、
第１の解放位置では、第２の係止突起(35)は、第２のフック(22)を第２の保持溝(12)内に固定するが、第１の係止突起(34)は、第１のフック(21)を第１の保持溝(11)内に固定せず、第１の保持溝(11)から第１のフック(21)を除去して第２の回転軸を中心に籠(20)を回転でき、
第２の解放位置では、第１の係止突起(34)は、第１のフック(21)を第１の保持溝(11)内に固定するが、第２の係止突起(35)は、第２のフック(22)を第２の保持溝(12)内に固定せずに、第２の保持溝(12)から第２のフック(22)を除去して第１の回転軸を中心に籠(20)を回転できる請求項１乃至４の何れか１項に記載の家具装備品。
【請求項６】
第１の係止突起(34)は、第１の保持溝(11)の開口部に向く傾斜面(34')を有し、第１の保持溝(11)内に第１のフック(21)を装着するとき、第１のフック(21)は、傾斜面(34')に当接して、係止位置から第１の解放位置に向かって摺動体(30)を移動させ、
第２の係止突起(35)は、第２の保持溝(12)の開口部に向く傾斜面(35’)を有し、第２の保持溝(12)内に第２のフック(22)を装着するとき、第２のフック(22)は、傾斜面(35’)に当接して、係止位置から第２の解放位置に向かって摺動体(30)を移動させる請求項５に記載の家具装備品(1)。
【請求項７】
机(100)の２つの机脚(110)を接続する連結部(120)に固定できる緊締装置(15)を保持部(10)に設けた請求項１乃至６の何れか１項に記載の家具装備品(1)。
【請求項８】
机板を有する机形式の家具(100)において、
請求項１乃至７の何れか１項に記載の家具装備品(1)を家具に設け、机板又は机架台に家具装備品(1)を固定することを特徴とする家具(100)。
【請求項９】
互いに離隔しかつ連結部(120)により互いに結合される少なくとも２つの机脚(110)を設けた請求項８に記載の家具(100)において、
緊締装置(15)により連結部(120)に固定される請求項７に記載の家具装備品(1)を設けたことを特徴とする家具(100)。
【発明の詳細な説明】
【技術分野】
【０００１】
本発明は、請求項１の前文に記載する家具装備品に関する。
【背景技術】
【０００２】
机型又は吊戸棚型の家具に使用する電気導線と電気接続具（ソケット、プラグ、コンセント）等の電気部品を床から離間した床の上方に通常配置せずに、机板又は吊戸棚の底面より下方の床上に電気部品を配置し又は電気部品を収納する導線収納籠（「収納籠」という）を床上に配置するので、通行者は、床上の電気部品又は収納籠に躓き又は引掛かる危険があり、美観の面からも好ましくない。
【０００３】
従来の台、特に机では、机板の下方に収納籠が取り付けられる。傾斜不能又は取付角度を調整できずに机板の下方に堅固に固定される収納籠の収容空間には常に手が届く。しかしながら、収納籠の収容空間又は収納物の収容容積を閉鎖できないため、収納籠内の収容物が収納籠から脱落することもある。また、収納籠の収容空間内に配置される収容物は、収納用籠外から目視できるため、美観の面でも好ましくない。
【０００４】
特許文献１は、導線を収容する導線通路を開示する。導線通路は、互いに角度約９０°を形成して接続される２つのＶ型側壁の各端部に切欠部の溝を構成する保持部が設けられる。例えば、角状空間領域内で机の角部領域を構成する机板と机背壁との２つの壁を接続する保持部が２つの側壁の各端部に形成される。また、導線通路を覆う蓋の各終端領域に円形断面で厚い固定部が配置される。導入開口部を介して保持溝内に蓋の固定部を圧入して、導線通路の収容室を閉鎖することができる。保持部を引き抜いて、収容室内に接近するとき、保持部は、少なくとも一時的に変形する。この状態では、他の保持部により形成される回転軸を中心に保持部に対して蓋を回転することができる。従って、導線通路を２方向に解放し、２方向から導線を装填することができる。
【０００５】
しかしながら、固定部に対し保持部を接続し又は分離する前記導線通路では、少なくとも一時的に保持部を変形する難点があり、材料疲労と損傷が必然的に保持部に発生する危険がある。また、比較的大きい力で保持部と固定部間に係止構造を確立し又は解除して、導線通路を開放し又は閉鎖するため、取扱いがかなり不便である。
【先行技術文献】
【特許文献】
【０００６】
【特許文献１】独国特許公開第４１０３７０８号公報
【発明の概要】
【発明が解決しようとする課題】
【０００７】
本発明の課題は、保持部と固定部を損傷せずに、快適に、任意にかつ頻繁に開放しかつ閉鎖できる頭記種類の改良され信頼性の高い家具装備品を提供することにある。
【課題を解決するための手段】
【０００８】
この課題は、請求項１の特徴を備える家具装備品により解決される。好適な実施の形態を下位請求項に記載する。
【０００９】
本発明の家具装備品は、保持部に摺動可能に支持される摺動体を有し、摺動体は、第１の固定部を第１の保持部に又はその中に係止し、第２の固定部を第２の保持部に又はその中に係止する。例えば、保持溝、保持ピン又は保持隆起部として第１の保持部と第２の保持部を形成できる。特に、固定ピン又は代替的に固定溝として第１の固定部と第２の固定部を形成できる。係止位置では、摺動体は、第１の固定部を第１の保持部に又はその中に係止し、第２の固定部を第２の保持部に又はその中に係止する。従って、係止位置では、籠の第１の固定部及び第２の固定部は、籠の保持角度を変更せずに第１の保持部及び第２の保持部に堅固に係止される。この場合、第１の固定部及び第２の固定部は、対応する第１の保持部と第２の保持部から離脱しない。摺動体の第１の解放位置では、第２の保持部に又はその中に第２の固定部を係止しつつ、第１の保持部は、第１の固定部との係止を解除するので、第１の固定部は、第１の保持部から解放され、第２の回転軸（揺動軸）を中心に籠を回転（揺動）することができる。そのとき、机に対する保持部の取付方向により、机の前側に向かって籠を前方に開くことができる。摺動体の第２の解放位置では、第１の保持部に又はその中に第１の固定部を係止しつつ、第２の保持部は、第２の固定部との係止を解除するので、第２の固定部は第２の保持部から解放され、第１の回転軸（揺動軸）を中心に籠を回転（揺動）することができる。そのとき、机に対する保持部の取付方向により、机の後側に向かい後方に籠を開くことができる。その場合、第２の保持部に向かう第１の方向に摺動体30を摺動すると、係止位置から第１の解放位置に摺動体を移動することができる。また、第１の方向とは逆の第１の保持部に向かう第２の方向に摺動体を移動すると、係止位置から第２の解放位置に摺動体を移動することができる。
【００１０】
導線収納籠として籠を使用できる。収容開口部として又は収容開口部を有する保持溝又は収容溝として第１の保持部と第２の保持部を形成することができる。第１の固定部を第１のフック、第１の固定ピン、第１のストライカ、第１の保持部として形成し、第２の固定部を第２のフック、第２の固定ピン、第２のストライカ、第２の保持部として形成するとき、固定ピンをＵ字状又はＬ字状に形成しかつ籠に分離可能に接続される固定装置として使用でき、保持部に又はその中に固定部を係止しかつ係止の解除にも用いられる摺動体を係止／係止解除装置と呼ぶこともできる。
【００１１】
従って、第１の方向と第２の方向に摺動可能に支持される摺動体により、第１の固定部を第１の保持部に係止しかつ／又は第２の固定部を第１の保持部に係止する動作を選択的に達成して、２つの保持部の何れの側に向かっても籠を開放することができる。籠の開閉動作に変形を要しない保持部又は固定部は、磨耗を受けず又は極めて僅かな磨耗しか生じない。また、何れかの方向に摺動体を移動すれば、一方の固定部を係止解除できるから、前方又は後方に向かって籠を極めて快適に開閉できる。僅かな押圧力で摺動体を移動できる。前方にも後方にも籠を開放できるので、所与の状況に応じて、例えば、導線又は電気接続具又は他の装備品を籠内に装填することができる。
【００１２】
家具装備品の摺動体と保持部の間に２つの蓄勢装置を配置することが好ましい。摺動体と保持部の一方の支持壁との間に配置される第１の蓄勢装置は、第２の方向の弾性力を摺動体に付与する。摺動体と保持部の他方の支持壁との間に配置される第２の蓄勢装置は、第１の方向に弾性力を摺動体に付与する。摺動体の係止位置では、第１の蓄勢装置が摺動体に加える弾性力は、第２の蓄勢装置が摺動体に加える弾性力と釣り合うので、外力が作用しない限り、摺動体は、係止位置に保持される。従って、係止位置では、第１の蓄勢装置も第２の蓄勢装置も摺動体に弾性力を加える必要がない。一方の第１の解放位置では、第１の蓄勢装置は、第２の蓄勢装置よりも大きい弾性力を摺動体に加えるので、摺動体は、外力を作用させずに係止位置に戻される。他方の第２の解放位置では、第２の蓄勢装置は、第１の蓄勢装置よりも大きい弾性力を摺動体に加えるので、摺動体は、外力を作用させずに係止位置に戻される。
【００１３】
このように、第１の蓄勢装置と第２の蓄勢装置により、外力を作用させずに、摺動体は常に係止位置に移動されるので、確実に保持部に籠を保持することができる。保持部と摺動体に支持されるばね装置として蓄勢装置を構成することが好ましい。また、摺動体に蓄勢装置を当接することが好ましい。
【００１４】
各第１の保持部と各第２の保持部を保持部内に保持溝として形成し、各第１の固定部と各第２の固定部を籠に結合される固定ピンとして形成することが好ましい。第１の保持溝内に第１のフックを収容し、第２の保持溝内に第２のフックを収容することができる。摺動体は、第１の係止突起と第２の係止突起を有し、係止位置では第１の係止突起は、第１のフックを第１の保持溝内に係止し、第２の係止突起は、第２の固定ピンを第２の保持溝内に係止する。第１の解放位置では、第２の係止突起は、第２の固定ピンを第２の保持溝内に係止しつつ、第１の係止突起は、第１のフックを第１の保持溝内から開放するので、第１のフックは、第１の保持溝から離脱でき、第２の回転軸を中心に籠を回転することができる。また、第２の解放位置では、第１の係止突起は、第１のフックを第１の保持溝内に係止しつつ、第２の係止突起は、第２の固定ピンを第２の保持溝内から開放するので、第２のフックは、第２の保持溝から離脱でき、第１の回転軸を中心に籠を回転することができる。
【００１５】
第１の保持部と第２の保持部及び第１の固定部と第２の固定部を所定の形状に形成すれば、保持部内に対する固定部の係止と係止解除を特に容易に実現できる。
【００１６】
第１の保持溝の開口部に向く傾斜面を第１の係止突起に設けて、第１の保持溝内に第１のフックを装着するとき、第１の突起の傾斜面に第１のフックを当接させて、係止位置から第１の解放位置に摺動体を移動することが好ましい。また、第２の保持溝の開口部に向く傾斜面を第２の係止突起に設けて、第２の保持溝内に第２のフックを装着するとき、第２の係止突起の傾斜面に第２のフックを当接させて、係止位置から第２の解放位置に摺動体を移動することが好ましい。
【００１７】
家具装備品を所定の形状に形成すれば、フックにより摺動体に押圧力を付与すると、摺動体は、自動的に解放位置に移動するから、保持溝内にフックを装着する前に摺動体を摺動することは不要である。
【００１８】
２つの机脚を結合する机の連結部に固定できる緊締装置を保持部に設けることが好ましい。例えば、机板に固定穴を設けずに、緊締装置により家具装備品を机に固定することができる。また、机の連結部の軸方向長さに沿って家具装備品を移動しかつ所望の位置に固定することができる。
【００１９】
勿論、ねじにより机の机板に保持部を固定することもできる。
【００２０】
本発明の実施の形態を図面について以下説明する。
【図面の簡単な説明】
【００２１】
【図１】図１ａは、２つの保持部と、各保持部に対し閉鎖状態に保持される籠とを有し、保持部内の係止位置に摺動体を保持した本発明の家具装備品を示す斜視図、図１ｂは、図１ａに示す家具装備品の断面図
【図２】図２ａは、前方に籠を開放した家具装備品を示す斜視図、図２ｂは、図２ａに示す家具装備品の側面図
【図３】図３ａは、後方に籠を開放した本発明の家具装備品を示す斜視図、図３ｂは、図３ａに示す家具装備品の側面図
【図４】保持部内に配置される摺動体及び動体と保持部の間に配置される蓄勢装置とを示す断面図
【図５】摺動体と蓄勢装置とを示す側面図
【図６】机板の下側に固定されて後方に開放された本発明の家具装備品の斜視図
【図７】本発明の家具装備品を取り付けた机形式の家具を示す斜視図
【発明を実施するための形態】
【００２２】
添付図面では、同一の構成又は構造に同一の参照符号を付し、反復説明を省略する。
【００２３】
図１ａと図１ｂは、未開放状態、即ち閉じた状態の籠を有する本発明の導線収納籠型の家具装備品1を示す。例えば、図７に示す机（テーブル、卓又は台ともいう）形式の家具100に図１ａと図１ｂに示す家具装備品1を取り付けることができる。図７に示す机（家具）100は、互いに連結部120で連結した２本の机脚110を有する。机板130は、机脚110に接続され支持される。
【００２４】
家具装備品1は、後述の緊締装置15により連結部120に固定される。図７の手前に示す机の長手側は、前側であり、前側に対向する反対側が後側である。しかしながら、本発明は、机100の連結部120等の該当部分のみに家具装備品1を取り付ける可能性に限定されない。例えば、机の下方に配置される下方棚に家具装備品1を接続し取り付けることもできる。
【００２５】
図１ａ〜図６に示す実施の形態では、本発明の家具装備品1は、緊締装置15により机100の連結部120に固定できる２つの保持部10を有する。しかしながら、家具装備品1を机板130に固定できるねじ又は他の固定手段を保持部10に設けてもよい。各保持部10は、籠（導線収納籠又はカバーともいう）20の第１のフック（第１の固定部、第１の固定ピン又は第１のストライカともいう）21を配置する第１の保持溝（第１の保持部）11と、籠20の第２のフック（第２の固定部、第２の固定ピン又は第２のストライカともいう）22を配置する第２の保持溝（第２の保持部）12とを有する。第１のフック21を配置する第１の保持溝11を図２ａ及び図２ｂに示し、第２のフック22を配置する第２の保持溝12を図３ａ及び図３ｂに示す。
【００２６】
また、第１のフック21と第２のフック22を両側縁に有する籠20が家具装備品1に設けられる。籠20は、２個の第１のフック21と２個の第２のフック22とを有する。第１のフック21及び第２のフック22は、保持部10の該当する第１の保持溝11及び第２の保持溝12内に装着される。籠20は、導線、電気接続具、コネクタ又は他の電気器具等の収容物を収容する収容室を形成する。図１ａと図１ｂは、保持部10の第１の保持溝11内に第１のフック21を収容し、保持部10の第２の保持溝12内に第２のフック22を収容した籠20の閉鎖状態を示す。第１のフック21と第２のフック22は、保持部10内に設けられる摺動体（スライダ）30に係止される。
【００２７】
各摺動体30は、保持部10の対応する案内通路16内にそれぞれ摺動可能に保持される。係止位置と、第１の解放位置と、第２の解放位置との間で摺動体30を摺動することができる。図１ｂは、係止位置にある摺動体30を示す。
【００２８】
摺動体30を内部に収容する保持部10の断面を示す図４では、摺動体30の操作部材36の図示を省略する。図５は、図４の摺動体30を単体で示す。
【００２９】
摺動体30は、互いに対向して配置される第１の係止突起34と第２の係止突起35とを有する。第１の係止突起34は、摺動体30の第１の支持腕31に接続される。第１の支持腕31は、第１の係止突起34に対し角度約９０°を形成する。第２の係止突起35と第２の支持腕32は、互いに角度約９０°を形成し、第２の係止突起35は、第２の支持腕32に接続される。また、摺動体30は、第１の支持腕31と第２の支持腕32と接続する連結腕33を有する。更に、摺動体30は、連結腕33に接続される操作部材36を有する。
【００３０】
係止位置では、第１のフック21は、第１の保持溝11内の第１の係止突起34に係止し、第２のフック22は、第２の保持溝12内の第２の係止突起35に係止する。従って、係止位置では、単一又は複数の保持部10から籠20を外せないので、籠20の収容室内から導線又は電気接続具が脱落せず、これらを目視確認することができる。
【００３１】
図４と図５は、第１の蓄勢装置37を構成する第１のばね装置（ばね）37と、第２の蓄勢装置38を構成する第２のばね装置（ばね）38を設けた本発明の家具装備品1を示す。図５は、摺動体30の第１の支持腕31に第１のばね37を当接させ、第２の支持腕32に第２のばね38を当接させる構造を示す。しかしながら、第１のばね37と第２のばね38とを摺動体30に当接する必要性は必ずしもなく、代替的な実施の形態では、第１の支持腕31と第２の支持腕32で第１のばね37と第２のばね38を単に支持する構造でもよい。
【００３２】
図４は、第１の支持壁13と第２の支持壁14とを設けた保持部10を示す。摺動体30の第１の支持腕31と保持部10の第１の支持壁30との間に第１のばね37が配置され、摺動体30の第２の支持腕32と保持部10の第２の支持壁14との間に第２のばね38が配置される。第１の支持壁13と第２の支持壁14の間に操作部材36が配置される。
【００３３】
操作部材36により第１の方向R1に摺動体30を滑動すると、係止位置から第１の解放位置に摺動体30を移動することができる。第１の方向R1は、第２の保持溝12方向である。第１の解放位置では、第２の保持溝12内で第２のフック22と第２の係止突起35との係止を維持するが、第２の保持溝12の方向に移動する摺動体30の第１の係止突起34は、第１の保持溝11内で第１のフック21との係合が解除する距離だけ摺動されるので、第２のフック22又は第２の係止突起35周りに籠20を回転すると、第１の保持溝11内で第１の係止突起34から第１のフック21を開放し、第１の保持溝11から第１のフック21を外すことができる。このように、第１のフック21は、もはや第１の保持溝11内に係止されないから、第２のフック22が形成する第２の回転軸を中心に、籠20を回転することができる。図２ａと図２ｂは、本発明の家具装備品1の籠20が第２の回転軸を中心に回転して、図７に示す机の前側に向かい籠20を開放した状態を示す。従って、机100の前側から籠20内に電気器具を収容することができる。
【００３４】
また、第１の方向R1とは逆の第２の方向R2に摺動体30を移動すると、係止位置から第２の解放位置に摺動体30を移動することができる。第２の方向R2は、第１の保持溝11方向である。
【００３５】
第２の解放位置では、摺動体30の第１の係止突起34は、第１の保持溝11内で第１のフック21との係止を維持するが、第１の固定溝11方向に移動する摺動体30の第２の係止突起35は、第２の保持溝12内で第２のフック22との係合が解除する距離だけ移動されるので、第１のフック21又は第１の係止突起35周りに籠20を回転すると、第２のフック22は、第２の保持溝12内で第２の係止突起35から開放され、第２の保持溝12から第２のフック22を外すことができる。このように、第２のフック22は、もはや第２の保持溝12内に係止されないから、第１のフック21が形成する第１の回転軸を中心に、籠20を回転することができる。図７に示す机100に家具装備品1を固定するとき、第１の回転軸を中心に回転する籠20は、机100の後ろ側に向かって開放されるので、机100の後ろ側から家具装備品1の収容室に接近できる。家具100の後ろ側に籠20を開放した家具装備品1を図３ａ及び図３ｂに示す。
【００３６】
図４に示す摺動体30の係止位置では、第１のばね37と第２のばね38は、摺動体30に同一の押圧力を加える。従って、外力が作用しない限り、摺動体30は、係止位置に保持される。
【００３７】
第２の保持溝12方向の右に摺動体30を移動する図４の第１の係止位置では、摺動体30の第１の支持腕31により第１の支持壁13に向かい第１のばね37が第１の解放位置に向かって移動されるので、第１のばね37は、第２のばね38よりも強力に圧縮される。このため、第１の解放位置では、第１のばね37は、第２のばね38よりも大きい押圧力を摺動体30に加えるので、摺動体30から外力を除去すると、摺動体30は、自動的に係止位置に復帰する。第１の係止位置では、第２のばね38は、もはや第２の支持壁14に接触せず又は係止位置方向に向かう減少された押圧力を摺動体30に加えるか若しくは押圧力を加えない。
【００３８】
第１の保持溝11方向の左に摺動体30を移動する図４の第２の係止位置では、摺動体30の第２の支持腕32により第２の支持壁14に向かい第２のばね38が第２の解放位置に向かって移動されるので、第２のばね38は、第１のばね37よりも強力に圧縮される。このため、第２の解放位置では、第２のばね38は、第１のばね37よりも大きい押圧力を摺動体30に加えるので、摺動体30から外力を除去すると、摺動体30は、自動的に係止位置に復帰する。第２の係止位置では、第１のばね37は、もはや第１の支持壁13に接触せず又は係止位置方向に向かう減少された押圧力を摺動体30に加えるか若しくは押圧力を加えない。
【００３９】
図４と図５に示すように、第１の係止突起34は、第１の保持溝11の開口部に向く傾斜面34’を有し、第１の保持溝11内に装入する第１のフック21が傾斜面34’に当接して、強制的に係止位置から第１の解放位置に傾斜面34’及び摺動体30を移動して、第１のフック21を自動的に第１の係止突起34に係止することができる。同様に、第２の係止突起35は、第２の保持溝12の開口部を向く傾斜面35’を有し、第２の保持溝12内に装入する第２のフック22が傾斜面35’に当接して、強制的に係止位置から第２の解放位置に傾斜面35’及び摺動体30を移動して、第２のフック22を自動的に第２の係止突起35に係止することができる。
【００４０】
従って、第１のフック21又は第２のフック22を対応する保持溝11,12内に圧入すれば、摺動体30の傾斜面34’,35’により自動的にかつ一時的に第１又は第２の解放位置に摺動体30を移動して、その後、第１のフック21又は第２のフック22が第１の係止突起34又は第２の係止突起35に係止して、摺動体30が自動的に係止位置に戻るので、一方側に回転し、回転し解放した籠20を再び閉鎖位置に戻すことができ、１つ又は複数の摺動体30を予め解放位置に移動する操作及びその後、第１のフック21又は第２のフック22を対応する保持溝11,12内に収容する操作を必要としない。
【００４１】
本発明の家具装備品1は、必ずしも２つの保持部10を必要とせず、単一の保持部10のみでも前記機能を達成できる点に注意すべきである。
【符号の説明】
【００４２】
1：家具装備品、  10：保持部、  11：第１の保持部（第１の保持溝）、  12：第２の保持部（第２の保持溝）、  13：第１の支持壁、  14：第２の支持壁、  15：緊締装置、  16：案内通路、  20：籠、  21：第１の固定部（第１のフック）、  22：第２の固定部（第２のフック）、  30：摺動体、  31：第１の支持腕、  32：第２の支持腕、  33：連結腕、  34：第１の係止突起、  34’：傾斜面、  35：第２の係止突起、  35’：傾斜面、  36：固定部、  37：第１の蓄勢装置（第１のばね装置／第１のばね）、  38：第２の蓄勢装置（第２のばね装置／第２のばね）、  100：家具（机）、  110：机脚、  120：連結部、  130：机板、  R1：第１の方向、  R2：第２の方向、
【図１ａ】
0005952503.tif 000002
【図１ｂ】
0005952503.tif 000003
【図２ａ】
0005952503.tif 000004
【図２ｂ】
0005952503.tif 000005
【図３ａ】
0005952503.tif 000006
【図３ｂ】
0005952503.tif 000007
【図４】
0005952503.tif 000008
【図５】
0005952503.tif 000009
【図６】
0005952503.tif 000010
【図７】
0005952503.tif 000011